(57)【要約】      （修正有）【課題】本体シートが肉厚で弾力性があり折り目の付きにくい材料であっても外れにくく、粘着テープを使用しない、最低限の材料で製造可能なブックカバーを提供をする。【解決手段】掛け止め用の山形スリット１４が挿通用の帯部１５の縁に引っ掛かり、折り返し部１３が挿通用の帯部１５の内側から外れにくいようにした。また、掛け止め用の山形スリット１４を複数設けており、異なる本の厚さに合わせて掛け止めるスリットを複数の中から選択できるようにした。【選択図】図３
0003139476.tif 000002
【実用新案登録請求の範囲】
【請求項１】
本の表表紙から背表紙を経て裏表紙までを被うブックカバーであって、本体シートの裏面の一端側に表紙差込用のポケットを設けるとともに、本体シートの裏面の途中位置に表紙を挿通させるための帯部を設け、本体シートの他端側に折り返し部を延設し、折り返し部に掛け止め用の山形のスリットを複数形成し、表紙を超える折り返し部を表紙の裏側へ折り曲げて表紙を挿通用の帯部の内側に差込み、掛け止め用の山形スリットが挿通用の帯部の縁に引っ掛かり、折り返し部が挿通用の帯部の内側から外れにくいようにしたブックカバー。
【考案の詳細な説明】
【技術分野】
【０００１】  本考案は、ブックカバーに関し、最小限の材料で製造でき、本がブックカバーから外れにくい掛け止め構造に関する。
【背景技術】
【０００２】  従来の一般的なブックカバーは、背表紙の厚みによって寸法が同じとならない。このため、厚みに応じた寸法のブックカバーを用意しなくてはならないという問題があった。
実登３０８４７５８号には、上記の様な問題を解決するブックカバーとして、本体シートの一端側に表紙挿入ポケットを設け、本体シートの途中位置に表紙を挿通させるための帯部を設け、本体シートの他端側には表紙を超える部分を表紙の裏側へ折り曲げて、表紙挿通用帯部に差し込むようにした考案が開示されている。
また、実登３０７９９６９号には、同じく問題を解決するブックカバーとして、本体シートの一端側に表紙挿入ポケットを設け、本体シートの途中位置に表紙を挿通させるための帯部を設け、表紙を超える部分を表紙の裏側へ折り曲げて、表紙挿通用帯部に粘着テープで貼り付けるようにした考案が開示されている。
これら考案によれば、本の厚みの相違を吸収することができ、異なる厚みの本に対して適用することができる。【０００３】  ところが、実登３０８４７５８号の考案においては、表紙挿通用帯部に差し込まれたブックカバーの折り返し部分を、表紙挿通用帯部に通しているだけなので、外れやすいという欠点があった。特に、本体シートが肉厚で弾力性があり折り目の付きにくい材料の場合はその傾向が顕著であった。
また、実登３０７９９６９号の考案においては、本体シートが肉厚で弾力性があり折り目の付きにくい材料であっても外れにくいが、表紙挿通用帯部に貼られた粘着テープが繰り返しの接着と埃により粘着力が低下し、外れやすいという欠点があった。
【考案の開示】
【考案が解決しようとする課題】
【０００４】  そこで本考案は、上記従来の欠点を解消し、本体シートが肉厚で弾力性があり折り目の付きにくい材料であっても外れにくく、粘着テープを使用しない、最低限の材料で製造可能なブックカバーの提供を課題とする。
【課題を解決するための手段】
【０００５】  本の表表紙から背表紙を経て裏表紙までを被うブックカバーであって、本体シートの裏面の一端側に表紙差込用のポケットを設けるとともに、本体シートの裏面の途中位置に表紙を挿通させるための帯部を設け、本体シートの他端側に折り返し部を延設し、折り返し部に掛け止め用の山形のスリットを複数形成し、表紙を超える折り返し部を表紙の裏側へ折り曲げて表紙を挿通用の帯部の内側に差込み、掛け止め用の山形スリットが挿通用の帯部の縁に引っ掛かり、折り返し部が挿通用の帯部の内側から外れにくいようにしたのを第１の特徴としている。
また本考案のブックカバーは、上記１の特徴に加えて、掛け止め用の山形スリットを複数設けており、異なる本の厚さに合わせて掛け止めるスリットを複数の中から選択できることを第２の特徴としている。
【考案の効果】
【０００６】  本考案のブックカバーは上記の通りであり、折り返し部１３に掛け止め用の山形スリット１４を設けることにより、折り返し部１３の掛け止め用の山形スリット１４を表紙挿通用帯部１５に引っ掛け、折り返し部１３を折り曲げた状態で固定させるようにしたので、折り返し部１３が表紙挿通用帯部１５の内側から外れにくく、本１が外れるのを防ぐ効果がある。特に本体シートが肉厚で弾力性があり折り目の付きにくい材料の場合、本体シートの元に戻ろうとする材質上の性質から折り返し部１３が表紙挿通用帯部１５の内側から外れやすく、掛け止め用の山形スリット１４の掛け止め構造が効果を発揮する。
また折り返し部１３に掛け止め用の山形スリット１４を複数設けることにより、折り返し部１３を折り曲げた状態で固定させる位置を変えることができ、異なる厚みの本に対しても容易に調整してカバーを行うことができるため、本１にだぶつくことなく最適な状態で装着できる。
また接着作業を必要とせずに簡単に本に装着することができるので作業が容易であり、取り外しも容易であるため再使用もできる。
また単純な構造であることから最小限の材料と簡素な加工で製造ができる。
【考案を実施するための最良の形態】
【０００７】  以下、本考案のブックカバーについて図面に基づき説明する。まず図１は本考案の実施形態に係る本に装着する前の展開状態のブックカバーの裏面を示す斜視図である。図２〜図４は本考案の実施形態に係るブックカバーを本に装着する仕方を説明する図である。
【実施例】
【０００８】  図１を参照して、ブックカバーの本体シート１０は本の表表紙から背表紙を経て裏表紙までを被う、その裏面の一端側に本１の表表紙３、裏表紙２の何れか一方を挿入させる表紙差込用ポケット部１１が設けられている。
本体シート１０の裏面には、前記一端側から他端側への途中位置に他方の表紙２を挿通させるための表紙挿通用帯部１５が設けられている。
本体シート１０の他端側には、他方の表紙２を越える折り返し部１３を延設し、折り返し部１３に掛け止め用の山形スリット１４を複数形成し、折り返し部１３を表紙２の裏側へ折り曲げて表紙挿通用帯部１５に差し込み、掛け止め用の山形スリット１４が挿通用の帯部１５の縁に引っ掛かるようにしたものである。
このブックカバーの材料は軟質の合成樹脂製シートとすることが製造上や取り扱い上において容易であるが、皮革、布、紙など任意の材料により製造することも可能である。また透明であっても不透明であっても良い。【０００９】  図２〜図４を参照にして、ブックカバーを本に装着する手順を説明する。
本体シート１０の裏面を上に広げ、本１の表紙３を表紙差込用ポケット部１１に差し入れる。本１の表紙２を表紙挿通用帯部１５に通す。図２では上記までの状態を示している。次に折り返し部１３を表紙２と表紙挿通用帯部１５の間に通す。掛け止め用の山形スリットを手前に起こし表紙挿通用帯部１５に挟める。これによって折り返し部１３は折り曲げた状態で固定される。図３か図４の状態となる。
本１の背表紙の厚みによって寸法が変わり、折り返し部１３の長さが変わるため、カバーがだぶつかない位置を複数の山形スリットから選択する。図３は背表紙の薄い場合、図４は背表紙の厚い場合の例である。
【産業上の利用可能性】
【００１０】  以上、記述したように本考案のブックカバーは、本体シートが肉厚で弾力性があり折り目の付きにくい材料であっても外れにくく、粘着テープを使用しない、最低限の材料で製造可能なブックカバーであり、異なる厚みの本に対しても容易に調整してカバーを行うことができるため、多様な材質でのブックカバー製造に大きく貢献することができる。
【図面の簡単な説明】
【００１１】
【図１】本に装着する前の展開状態の斜視図である。
【図２】本に装着する仕方を説明する図である。
【図３】背幅の薄い本に使用している様子を示す斜視図である。
【図４】背幅の厚い本に使用している様子を示す斜視図である。
【図５】図１のＡ−Ａ線断面図である。
【符号の説明】
【００１２】  １    本
２    本の裏表紙
３    本の表表紙
４    本の背表紙
１０  本体シート
１１  表紙差込用ポケット部
１２  裏表紙
１３  折り返し部
１４  掛け止め用の山形スリット
１５  本の表紙挿通用の帯部
【図１】
0003139476.tif 000003
【図２】
0003139476.tif 000004
【図３】
0003139476.tif 000005
【図４】
0003139476.tif 000006
【図５】
0003139476.tif 000007